(57)【要約】【課題】物理入力手段と表示態様とを関連付け、もってユーザの操作性を向上すること。【解決手段】スイッチ情報記憶部６５は、物理入力手段であるスイッチ７２とディスプレイ７３との位置関係を記憶する。さらに、表示制御部６０に表示出力要求が行なわれた場合に、表示内容決定部６１が表示内容を決定すると共に、表示内容とスイッチ情報記憶部６５が記憶した位置関係に基づいて表示位置設定部６２が画像の表示位置を、表示動作設定部６３が画像の動作を、表示形状設定部６４が画像の表示形状を、それぞれ設定する。【選択図】        図１
2007226478.tif 000002
【特許請求の範囲】
【請求項１】
表示出力を行なう表示手段とユーザの操作を受け付ける物理入力手段との位置関係が固定された入出力制御装置であって、
表示要求に基づいて表示内容を決定する表示内容決定手段と、
前記表示内容および前記位置関係に基づいて前記表示手段に表示する画像の表示位置、表示動作、表示形状のうち少なくともいずれか一つを前記物理入力手段の位置に関連付ける表示制御手段と、
を備えたことを特徴とする入出力制御装置。
【請求項２】
前記画像は前記ユーザの操作を受け付ける仮想入力手段であることを特徴とする請求項１に記載の入出力制御装置。
【請求項３】
前記表示制御手段は、ユーザからの操作を受け付けた前記物理入力手段の近傍に当該操作に対応する画像を表示することを特徴とする請求項１または２に記載の入出力制御装置。
【請求項４】
前記表示制御手段は、前記表示内容に関連して操作される可能性のある前記物理入力手段の近傍に前記画像を表示することを特徴とする請求項１，２または３に記載の入出力制御装置。
【請求項５】
前記表示制御手段は、複数の前記物理入力手段の位置関係に基づいて、各物理入力手段が操作された場合に当該操作に対応する画像を表示する表示領域を予め設定することを特徴とする請求項１〜４のいずれか一つに記載の入出力制御装置。
【請求項６】
前記表示制御手段は、ユーザからの操作を受け付けた前記物理入力手段の近傍から該操作に対応する画像を出現させる表示動作を行なうことを特徴とする請求項１〜５のいずれか一つに記載の入出力制御装置。
【請求項７】
前記表示制御手段は、ユーザからの操作を受け付けた前記物理入力手段を指し示す形状で該操作に対応する画像を表示することを特徴とする請求項１〜６のいずれか一つに記載の入出力制御装置。
【請求項８】
前記位置関係を記憶する位置関係記憶手段をさらに備え、前記表示制御手段は前記位置関係記憶手段から前記位置関係を読み出すこと特徴とする請求項１〜７のいずれか一つに記載の入出力制御装置。
【請求項９】
前記表示内容は、前記ユーザに次の操作を案内する案内表示、前記ユーザからの操作を受け付けたことを通知する確認表示、前記ユーザからの操作内容に基づいて、もしくは自律的に実行した動作内容を通知する動作表示のうち、少なくともいずれかを含むことを特徴とする請求項１〜８のいずれか一つに記載の入出力制御装置。
【請求項１０】
車両に搭載され、前記ユーザは自車両の乗員であることを特徴とする請求項１〜９のいずれか一つに記載の入出力制御装置。
【請求項１１】
少なくとも表示出力を伴う入出力制御方法であって、
前記表示出力を行なう表示手段とユーザの操作を受け付ける物理入力手段との位置関係を取得する位置関係取得工程と、
表示要求に基づいて表示内容を決定する表示内容決定工程と、
前記表示内容および前記位置関係に基づいて前記表示手段に表示する画像の表示位置、表示動作、表示形状のうち少なくともいずれか一つを前記物理入力手段の位置に関連付ける表示制御工程と、
を含んだことを特徴とする入出力制御方法。
【請求項１２】
車両の走行経路を設定し、設定した走行経路に沿って走行するよう誘導する車両用のナビゲーション装置であって、
表示出力を行なう表示手段と、
ユーザの操作を受け付ける物理入力手段と、
表示要求に基づいて表示内容を決定する表示内容決定手段と、
前記表示手段と前記物理入力手段との位置関係および前記表示内容に基づいて前記表示手段に表示する画像の表示位置、表示動作、表示形状のうち少なくともいずれか一つを前記物理入力手段の位置に関連付ける表示制御手段と、
を備えたことを特徴とするナビゲーション装置。
【発明の詳細な説明】
【技術分野】
【０００１】
この発明は、表示出力を行なう表示手段とユーザの操作を受け付ける物理入力手段との位置関係が固定された入出力制御装置、入出力制御方法およびナビゲーション装置に関し、特に車載用の入出力制御装置、入出力制御方法およびナビゲーション装置に関する。
【背景技術】
【０００２】
近年、電子機器の高性能化、機能の多様化が進んでいる。例えば、車載用途では、経路案内を行なうナビゲーション機能、ラジオ放送やテレビ放送の受信機能、音楽などのコンテンツ再生機能、ＥＴＣ機能などの複数の機能を担う統合型の装置が広く利用されている。
【０００３】
このように多様な機能を実行するために操作が複雑なものとなるので、操作方法をユーザにとって直感的な分かり易いものとすることが求められる。特に車載装置においては運転者が運転を行ないながら車載装置の操作を行なうという特性上、操作の負荷を軽減し、もって走行の安全性を確保することが非常に重要な課題であった。
【０００４】
そこで従来、例えば特許文献１は、車両用ナビゲーション装置において、指示した選択項目と他の選択項目の配色を異ならせることにより、選択したことを識別可能とする技術を開示している。
【０００５】
また、特許文献２は、車載用電子機器の操作装置において、入力する装置のイメージ画像、および割り当てられた機能を画面に表示する技術を開示している。
【０００６】
さらに特許文献３は、タッチパネルを有して機能選択ボタンをタッチして操作される機器において、機能選択ボタンの表示色とそのボタンに対応した設定子画面との背景色を同じ色で表示することによって複数の子画面が表示面上に表示された場合でもボタンとの対応関係を視認可能とする技術を開示している。
【０００７】
【特許文献１】特開平９−１３３５４４号公報
【特許文献２】特開２０００−３５５２５６号公報
【特許文献３】特開２００４−３０６４７８号公報
【発明の開示】
【発明が解決しようとする課題】
【０００８】
ところで、ユーザからの入力を受け付ける入力手段としては、スイッチなどの物理入力手段の他、タッチパネルディスプレイのように仮想的なボタンを表示し、ユーザの接触位置を検知して対応する機能を実行する仮想入力手段がある。
【０００９】
特に車載装置では、ディスプレイの周囲にスイッチ（物理入力手段）を配置するとともにタッチパネルディスプレイ（仮想入力手段）を備え、物理入力手段と仮想入力手段の双方を利用して操作を行なうことが多い。
【００１０】
しかしながら、従来の技術では、スイッチの配置とディスプレイ上の表示位置との関係について考慮されていないため、目的の操作に対応するスイッチを自ら探さなくてはならず、操作性が低下するという問題点があった。
【００１１】
本発明は、上述した従来技術における問題点を解消し、課題を解決するためになされたものであり、物理入力手段と表示態様とを関連付け、もってユーザの操作性を向上した入出力制御装置、入出力制御方法およびナビゲーション装置を提供することを目的とする。
【課題を解決するための手段】
【００１２】
上述した課題を解決し、目的を達成するため、請求項１の発明に係る入出力制御装置は、表示出力を行なう表示手段とユーザの操作を受け付ける物理入力手段との位置関係が固定された入出力制御装置であって、表示要求に基づいて表示内容を決定する表示内容決定手段と、前記表示内容および前記位置関係に基づいて前記表示手段に表示する画像の表示位置、表示動作、表示形状のうち少なくともいずれか一つを前記物理入力手段の位置に関連付ける表示制御手段と、を備えたことを特徴とする。
【００１３】
この請求項１の発明によれば入出力制御装置は、物理入力手段の表示手段に対する位置関係と表示内容に基づいて表示画像の表示位置や表示動作、表示形状を物理入力手段の位置に関連付ける。
【００１４】
また、請求項２の発明に係る入出力制御装置は、請求項１に記載の発明において、前記画像は前記ユーザの操作を受け付ける仮想入力手段であることを特徴とする。
【００１５】
この請求項２の発明によれば入出力制御装置は、物理入力手段の表示手段に対する位置関係と表示内容に基づいて仮想入力手段の表示位置や表示動作、表示形状を物理入力手段の位置に関連付ける。
【００１６】
また、請求項３の発明に係る入出力制御装置は、請求項１または２に記載の発明において、前記表示制御手段は、ユーザからの操作を受け付けた前記物理入力手段の近傍に当該操作に対応する画像を表示することを特徴とする。
【００１７】
この請求項３の発明によれば入出力制御装置は、ユーザからの操作を受け付けた物理入力手段の近傍に当該操作に対応する画像を表示する。
【００１８】
また、請求項４の発明に係る入出力制御装置は、請求項１，２または３に記載の発明において、前記表示制御手段は、前記表示内容に関連して操作される可能性のある前記物理入力手段の近傍に前記画像を表示することを特徴とする。
【００１９】
この請求項４の発明によれば入出力制御装置は、表示内容に関連して操作される可能性のある物理入力手段の近傍に前記画像を表示する。
【００２０】
また、請求項５の発明に係る入出力制御装置は、請求項１〜４のいずれか一つに記載の発明において、前記表示制御手段は、複数の前記物理入力手段の位置関係に基づいて、各物理入力手段が操作された場合に当該操作に対応する画像を表示する表示領域を予め設定することを特徴とする。
【００２１】
この請求項５の発明によれば入出力制御装置は、複数の物理入力手段の位置関係に基づいて、各物理入力手段が操作された場合に当該操作に対応する画像を表示する表示領域を予め設定する。
【００２２】
また、請求項６の発明に係る入出力制御装置は、請求項１〜５のいずれか一つに記載の発明において、前記表示制御手段は、ユーザからの操作を受け付けた前記物理入力手段の近傍から該操作に対応する画像を出現させる表示動作を行なうことを特徴とする。
【００２３】
この請求項６の発明によれば入出力制御装置は、ユーザからの操作を受け付けた物理入力手段の近傍から該操作に対応する画像を出現させる表示動作を行なう。
【００２４】
また、請求項７の発明に係る入出力制御装置は、請求項１〜６のいずれか一つに記載の発明において、前記表示制御手段は、ユーザからの操作を受け付けた前記物理入力手段を指し示す形状で該操作に対応する画像を表示することを特徴とする。
【００２５】
この請求項７の発明によれば入出力制御装置は、ユーザからの操作を受け付けた物理入力手段を指し示す形状で該操作に対応する画像を表示する。
【００２６】
また、請求項８の発明に係る入出力制御装置は、請求項１〜７のいずれか一つに記載の発明において、前記位置関係を記憶する位置関係記憶手段をさらに備え、前記表示制御手段は前記位置関係記憶手段から前記位置関係を読み出すこと特徴とする。
【００２７】
この請求項８の発明によれば入出力制御装置は、物理入力手段の表示手段に対する位置関係を位置関係記憶手段から読み出し、表示画像の表示位置や表示動作、表示形状を物理入力手段の位置に関連付ける。
【００２８】
また、請求項９の発明に係る入出力制御装置は、請求項１〜８のいずれか一つに記載の発明において、前記表示内容は、前記ユーザに次の操作を案内する案内表示、前記ユーザからの操作を受け付けたことを通知する確認表示、前記ユーザからの操作内容に基づいて、もしくは自律的に実行した動作内容を通知する動作表示のうち、少なくともいずれかを含むことを特徴とする。
【００２９】
この請求項９の発明によれば入出力制御装置は、物理入力手段の表示手段に対する位置関係と表示内容に基づいて表示画像の表示位置や表示動作、表示形状を物理入力手段の位置に関連付けるとともに、操作方法の案内、操作受付の通知、動作内容の通知を行なう。
【００３０】
また、請求項１０の発明に係る入出力制御装置は、請求項１〜９のいずれか一つに記載の発明において、車両に搭載され、前記ユーザは自車両の乗員であることを特徴とする。
【００３１】
この請求項１０の発明によれば入出力制御装置は、車両に搭載され、物理入力手段の表示手段に対する位置関係と表示内容に基づいて表示画像の表示位置や表示動作、表示形状を物理入力手段の位置に関連付ける。
【００３２】
また、請求項１１の発明に係る入出力制御方法は、少なくとも表示出力を伴う入出力制御方法であって、前記表示出力を行なう表示手段とユーザの操作を受け付ける物理入力手段との位置関係を取得する位置関係取得工程と、表示要求に基づいて表示内容を決定する表示内容決定工程と、前記表示内容および前記位置関係に基づいて前記表示手段に表示する画像の表示位置、表示動作、表示形状のうち少なくともいずれか一つを前記物理入力手段の位置に関連付ける表示制御工程と、を含んだことを特徴とする。
【００３３】
この請求項１１の発明によれば入出力制御方法は、表示出力を行なう表示手段とユーザの操作を受け付ける物理入力手段との位置関係を取得し、表示要求に基づいて表示内容を決定し、表示内容および位置関係に基づいて表示手段に表示する画像の表示位置や表示動作、表示形状を物理入力手段の位置に関連付ける。
【００３４】
また、請求項１２の発明に係るナビゲーション装置は、車両の走行経路を設定し、設定した走行経路に沿って走行するよう誘導する車両用のナビゲーション装置であって、
表示出力を行なう表示手段と、ユーザの操作を受け付ける物理入力手段と、表示要求に基づいて表示内容を決定する表示内容決定手段と、前記表示手段と前記物理入力手段との位置関係および前記表示内容に基づいて前記表示手段に表示する画像の表示位置、表示動作、表示形状のうち少なくともいずれか一つを前記物理入力手段の位置に関連付ける表示制御手段と、を備えたことを特徴とする。
【００３５】
この請求項１２の発明によればナビゲーション装置は、物理入力手段の表示手段に対する位置関係と表示内容に基づいて表示画像の表示位置や表示動作、表示形状を物理入力手段の位置に関連付ける。
【発明の効果】
【００３６】
請求項１の発明によれば入出力制御装置は、物理入力手段の表示手段に対する位置関係と表示内容に基づいて表示画像の表示位置や表示動作、表示形状を物理入力手段の位置に関連付けるので、ユーザの操作性を向上した入出力制御装置を得ることができるという効果を奏する。
【００３７】
また、請求項２の発明によれば入出力制御装置は、物理入力手段の表示手段に対する位置関係と表示内容に基づいて仮想入力手段の表示位置や表示動作、表示形状を物理入力手段の位置に関連付けるので、物理入力手段の近傍に関連する仮想入力手段を表示し、ユーザの操作性を向上した入出力制御装置を得ることができるという効果を奏する。
【００３８】
また、請求項３の発明によれば入出力制御装置は、ユーザからの操作を受け付けた物理入力手段の近傍に当該操作に対応する画像を表示するので、ユーザの操作性を向上した入出力制御装置を得ることができるという効果を奏する。
【００３９】
また、請求項４の発明によれば入出力制御装置は、表示内容に関連して操作される可能性のある物理入力手段の近傍に前記画像を表示するので、次の操作を円滑化し、ユーザの操作性を向上した入出力制御装置を得ることができるという効果を奏する。
【００４０】
また、請求項５の発明によれば入出力制御装置は、複数の物理入力手段の位置関係に基づいて、各物理入力手段が操作された場合に当該操作に対応する画像を表示する表示領域を予め設定するので、ユーザの操作性を向上した入出力制御装置を得ることができるという効果を奏する。
【００４１】
また、請求項６の発明によれば入出力制御装置は、ユーザからの操作を受け付けた物理入力手段の近傍から該操作に対応する画像を出現させる表示動作を行なうので、視覚効果を利用してユーザの操作性を向上した入出力制御装置を得ることができるという効果を奏する。
【００４２】
また、請求項７の発明によれば入出力制御装置は、ユーザからの操作を受け付けた物理入力手段を指し示す形状で該操作に対応する画像を表示するので、簡易にユーザの操作性を向上可能な入出力制御装置を得ることができるという効果を奏する。
【００４３】
また、請求項８の発明によれば入出力制御装置は、物理入力手段の表示手段に対する位置関係を位置関係記憶手段から読み出し、表示画像の表示位置や表示動作、表示形状を物理入力手段の位置に関連付けるので、装置構成に依存せずユーザの操作性を向上する、汎用性の高い入出力制御装置を得ることができるという効果を奏する。
【００４４】
また、請求項９の発明によれば入出力制御装置は、物理入力手段の表示手段に対する位置関係と表示内容に基づいて表示画像の表示位置や表示動作、表示形状を物理入力手段の位置に関連付けるとともに、操作方法の案内、操作受付の通知、動作内容の通知を行なうので、ユーザの操作性をさらに向上した入出力制御装置を得ることができるという効果を奏する。
【００４５】
また、請求項１０の発明によれば入出力制御装置は、車両に搭載され、物理入力手段の表示手段に対する位置関係と表示内容に基づいて表示画像の表示位置や表示動作、表示形状を物理入力手段の位置に関連付けるので、ユーザの操作性を向上した車載用の入出力制御装置を得ることができるという効果を奏する。
【００４６】
また、請求項１１の発明によれば入出力制御方法は、表示出力を行なう表示手段とユーザの操作を受け付ける物理入力手段との位置関係を取得し、表示要求に基づいて表示内容を決定し、表示内容および位置関係に基づいて表示手段に表示する画像の表示位置や表示動作、表示形状を物理入力手段の位置に関連付けるので、ユーザの操作性を向上した入出力制御方法を得ることができるという効果を奏する。
【００４７】
また、請求項１２の発明によればナビゲーション装置は、物理入力手段の表示手段に対する位置関係と表示内容に基づいて表示画像の表示位置や表示動作、表示形状を物理入力手段の位置に関連付けるので、ユーザの操作性を向上したナビゲーション装置を得ることができるという効果を奏する。
【発明を実施するための最良の形態】
【００４８】
以下に添付図面を参照して、この発明に係る入出力制御装置、入出力制御方法およびナビゲーション装置の好適な実施例について詳細に説明する。
【実施例】
【００４９】
図１は、本発明の実施の形態である車載装置１の概要構成を示す概要構成図である。同図に示すように、車載装置１は、その内部にオーディオユニット１０、ＭＤドライブ２１、光学ディスクドライブ２２、HDD（Hard Disk Drive）２３、ナビゲーションユニット３０、入出力制御部４０、音声制御部５０、スピーカ５１、表示制御部６０、ディスプレイユニット７０、スイッチ情報記憶部６５を有する。
【００５０】
オーディオユニット１０は、各種コンテンツの再生や録音を行なう処理部であり、その内部にＴＶチューナ１１、ＦＭチューナ１２、ＡＭチューナ１３、再生処理部１４および録音処理部１５を有する。
【００５１】
ＴＶチューナ１１は、テレビ放送を受信する受信部であり、ＦＭチューナ１２はＦＭラジオ放送を受信する受信部、ＡＭチューナ１３はＡＭラジオ放送を受信する受信部である。再生処理部１４は、これらのチューナが受信した放送や、ＭＤドライブ２１がＭＤから読み出した音楽などのコンテンツ、光学ディスクドライブ２２がＣＤやＤＶＤから読み出したコンテンツ、ＨＤＤ２３に格納された音楽データなどのコンテンツを再生する処理を行なう。また、録音処理部１５は、チューナが受信した放送や、ＭＤ、ＣＤ、ＤＶＤなどから読み出したコンテンツをＨＤＤ２３に格納する処理を行なう。
【００５２】
ナビゲーションユニット３０は、走行経路の設定と経路案内を行なう処理部であり、その内部に位置情報取得部３１、道路情報取得部３２、経路設定部３３および案内処理部３４を有する。
【００５３】
位置情報取得部３１は、ＧＰＳ（Global Positioning System）人工衛星と通信して自車両の位置を特定し、ＨＤＤ２３に格納された地図データ、もしくは光学ディスクドライブ２２がＣＤやＤＶＤから読み出した地図データから地図情報を取得する処理を行なう。また、道路情報取得部３２は、ＶＩＣＳ（Vehicle Information and Communication System）を用いて渋滞などの道路情報を取得する処理を行なう。
【００５４】
経路設定部３３は、位置情報取得部３１が取得した位置情報と地図情報、道路情報取得部３２が取得した道路情報を用いて目的地までの経路を設定する処理を行なう。案内処理部３４は、経路設定部３３が設定した経路に沿って走行するための案内出力を生成する処理を行なう。
【００５５】
入出力制御部４０は、車載装置１の入出力を全体制御する制御部である。具体的には入出力制御部４０は、ユーザからの操作入力に基づいてオーディオユニット１０およびナビゲーションユニット３０を制御し、またオーディオユニット１０およびナビゲーションユニット３０からの出力要求に基づいてユーザに対する音声出力と表示出力とを制御する。
【００５６】
また、入出力制御部４０は、ユーザに次の操作を案内する操作ガイド、ユーザからの操作を受け付けたことを通知する受付確認通知、ユーザからの操作内容に基づいて、もしくは自律的に実行した動作内容を通知する動作通知を行なう。
【００５７】
音声制御部５０は、入出力制御部４０からの音声出力要求に基づいて、出力する音声信号を生成する処理部であり、生成した音声信号をスピーカ５１から出力する。
【００５８】
ディスプレイユニット７０は、タッチパネル７１、スイッチ７２、ディスプレイ７３を一体に構成したユニットである。ディスプレイ７３は、表示制御部６０が生成した画像を表示する表示手段であり、スイッチ７２はディスプレイ７３の周囲に配置された物理入力手段である。ここで、ディスプレイ７３とスイッチ７２の位置関係は、スイッチ情報記憶部６５に記憶されている。また、スイッチ７２は、点灯・点滅などの表示出力が可能となるように構成する。
【００５９】
タッチパネル７１は、ユーザの接触位置を検知する入力手段であり、ディスプレイ７３における仮想的なボタン画像の表示位置とタッチパネル７１におけるユーザの接触位置と対応付けることで仮想入力手段として機能する。
【００６０】
表示制御部６０は、入出力制御部４０からの表示出力要求に基づいて、ディスプレイ７３に表示する画像を生成する処理部であり、その内部に表示内容決定部６１、表示位置設定部６２、表示動作設定部６３、表示形状設定部６４を有する。
【００６１】
表示内容決定部６１は、入出力制御部４０からの表示出力要求に基づいて表示する内容を決定する処理を行なう。表示位置設定部６２は、表示内容決定部６１によって決定された表示内容と、スイッチ情報記憶部６５が記憶するスイッチ７２のディスプレイ７３に対する位置関係と、を用いてディスプレイ７３に表示する画像の表示位置を設定する処理を行なう。
【００６２】
具体的には、表示位置設定部６２は、ユーザがスイッチ７２を操作した場合には、操作されたスイッチの近傍に操作に対応する画像を表示する。また、表示位置設定部６２は、表示内容に関連して操作される可能性のあるスイッチの近傍に画像を表示する。
【００６３】
表示動作設定部６３は、表示内容決定部６１によって決定された表示内容と、スイッチ情報記憶部６５が記憶するスイッチ７２のディスプレイ７３に対する位置関係と、を用いてディスプレイ７３における画像の表示動作を設定する処理を行なう。
【００６４】
具体的には、表示動作設定部６３は、ユーザがスイッチ７２を操作した場合には、操作されたスイッチの近傍から操作に対応する画像を出現するようにアニメーション表示を行なう。
【００６５】
表示形状設定部６４は、表示内容決定部６１によって決定された表示内容と、スイッチ情報記憶部６５が記憶するスイッチ７２のディスプレイ７３に対する位置関係と、を用いてディスプレイ７３に表示する画像の表示形状を設定する処理を行なう。
【００６６】
具体的には、表示形状設定部６４は、ユーザがスイッチ７２を操作した場合には、操作されたスイッチを指し示す形状で操作に対応する画像を表示する。
【００６７】
つづいて、表示制御部６０による処理について具体例を挙げて説明する。図２は、ディスプレイユニット７０の構成例である。同図に示すディスプレイユニット７０では、ディスプレイ７３の左右にスイッチ群を配置している。
【００６８】
ＰＷＲスイッチ７２ａは、ディスプレイ７３の左側方最上段に配置された物理入力手段であり、車載装置１の電源を管理するボタンである。ＡＵＤＩＯスイッチ７２ｂは、ディスプレイ７３の左側方２段目に配置された物理入力手段であり、ユーザによって操作された場合にオーディオユニット１０のメニュー画面を表示する。
【００６９】
ＭＥＮＵスイッチ７２ｃは、ディスプレイ７３の左側方３段目に配置された物理入力手段であり、ユーザによって操作された場合に車載装置１のメインメニュー画面を表示する。
【００７０】
ＮＡＶＩスイッチ７２ｄは、ディスプレイ７３の左側方４段目に配置された物理入力手段であり、ユーザによって操作された場合にナビゲーションユニット３０のメニュー画面を表示する。
【００７１】
ＯＰＥＮスイッチ７２ｅは、ディスプレイ７３の左側方５段目に配置された物理入力手段であり、ユーザによって操作された場合にＭＤドライブ２１や光学ディスプレイのデバイス挿入口を開き、ＭＤやＣＤ、ＤＶＤを挿排可能な状態とする。
【００７２】
ＶＯＬスイッチ７２ｆは、ディスプレイ７３の右側方最上段に配置された回動式の物理入力手段であり、スピーカ５１の出力音量を制御する。ＲＥＣスイッチ７２ｇは、ディスプレイ７３の右側方２段目に配置された物理入力手段であり、ユーザによって操作された場合に受信中の放送や再生中のコンテンツをＨＤＤ２３に記録（録音）する処理を行なう。
【００７３】
ＴＵＮＥ／ＴＲＡＣＫスイッチ７２ｈは、ディスプレイ７３の右側方３段目に配置された回動式の物理入力手段であり、ユーザによって操作された場合に受信周波数の変更や再生コンテンツの選択処理を行なう。
【００７４】
さらに、図２においてディスプレイ７３は画像８１を表示している。画像８１は、ユーザによるＡＵＤＩＯスイッチ７２ｂの操作に対応して表示されたオーディオメニュー画面である。
【００７５】
表示位置設定部６２は、この画像８１の表示位置をＡＵＤＩＯスイッチ７２ｂの近傍に設定する。また、表示動作設定部６３は、画像８１がＡＵＤＩＯスイッチ７２ｂの近傍から出現するように、たとえばディスプレイ７３の左端から右側にスライドしつつ出現するようにアニメーション表示を行なう。さらに表示形状設定部６４は、ＡＵＤＩＯスイッチ７２ｂを指し示すように画像８１の形状を設定している。
【００７６】
このように表示する画像の位置や動作、形状をスイッチの配置と関連付けて決定することで、操作性を向上し、直感的で分かり易い操作が可能となる。
【００７７】
また、スイッチの配置をスイッチ情報記憶部６５から読み出す構成とすることで、スイッチの配置の異なるディスプレイユニットを使用する場合であってもソフトウェア上の変更が不要である。
【００７８】
図３に示したディスプレイユニット７０ａは、ディスプレイ７３の右側と下側にスイッチ群を配置しており、例えばＡＵＤＩＯスイッチ７２ｂはディスプレイ７３の下側に配置されている。
【００７９】
このディスプレイユニット７０ａにおいてユーザがＡＵＤＩＯスイッチ７２ｂを操作すると、図２に示した場合と同様にオーディオメニュー画面である画像８２が表示される。
【００８０】
しかし、ＡＵＤＩＯスイッチ７２ｂの位置がディスプレイ７３の下側であるので、表示位置設定部６２は、画像８２の表示位置をディスプレイ７３の下側、ＡＵＤＩＯスイッチ７２ｂの近傍に設定する。同様に、表示動作設定部６３は、画像８２がＡＵＤＩＯスイッチ７２ｂの近傍から出現するように、たとえばディスプレイ７３の下端から上側にスライドしつつ出現するようにアニメーション表示し、表示形状設定部６４は、ＡＵＤＩＯスイッチ７２ｂを指し示すように画像８２の形状を設定する。
【００８１】
このように、スイッチ情報記憶部６５に記憶したスイッチの配置を読みだすことで、ディスプレイユニット７０の構成に依存しない汎用性の高いシステムを得ることができる。なお、特定の構成に使用する専用の装置とする場合には、スイッチ情報記憶部６５が不要であることは言うまでもない。
【００８２】
表示位置設定部６２による表示位置の設定について、さらに具体例を挙げて説明する。図４は、スイッチが操作された場合に当該操作に対応する画像を表示する表示領域を予め設定する構成の具体例である。
【００８３】
同図に示す構成では、ＡＵＤＩＯスイッチ７２ｂの近傍にオーディオメニュー表示領域を、ＭＥＮＵスイッチ７２ｃの近傍にメインメニュー表示領域を、ＮＡＶＩスイッチ７２ｄの近傍にナビメニュー表示領域を予め割り当てており、何れかのスイッチが操作された場合には割り当てられた表示領域を使用して画像の表示が行なわれる。
【００８４】
また、図５は、ＶＯＬスイッチ７２ｆやＴＵＮＥ／ＴＲＡＣＫスイッチ７２ｈが操作された場合の表示の具体例を示す図である。画像８３はＶＯＬスイッチ７２ｆの操作時に表示される画像であり、ＶＯＬスイッチ７２ｆの回動操作に対応して回動する。同様に画像８４はＴＵＮＥ／ＴＲＡＣＫスイッチ７２ｈの操作時に表示される画像であり、ＴＵＮＥ／ＴＲＡＣＫスイッチ７２ｈの回動操作に対応して回動する。
【００８５】
かかる表示は、表示位置設定部６２によって操作スイッチの位置の近傍に画像を表示するとともに、表示動作設定部６３がスイッチの回動操作に同期したアニメーション動作を設定することで得ることができる。
【００８６】
このように物理入力手段と表示画像とを連動させることにより、ユーザは画像８３，８４を直接に操作するように直感的に操作を実行することができ、また、画像８３，８４と同じ大きさの物理入力手段を設置する場合に比して装置の小型化やディスプレイ７３の表示領域を有効利用が可能となる。
【００８７】
つづいて、入出力制御部４０による通知動作について具体例を挙げて説明する。まず図６では、ユーザがＭＥＮＵスイッチ７２ｃを操作している。この操作を受けてメインメニュー画像８５がスライドしながら出現するとともに、ＭＥＮＵスイッチ７２ｃが点灯する。このＭＥＮＵスイッチ７２ｃの点灯がユーザからの操作を受け付けたことを通知する受付確認通知である。
【００８８】
つぎに、ユーザがメインメニュー画像８５内部の「ＡＵＤＩＯ  ＭＥＮＵ」に接触すると、タッチパネル７１によって接触が検知され、オーディオメニュー画像８６がスライドしながら出現する。
【００８９】
さらにユーザがオーディオメニュー画像８６内部の「ＣＤ／ＤＶＤ」に接触すると、オーディオユニット１０が光学ディスクドライブ２２に挿入されたＣＤ、もしくはＤＶＤの再生を開始する。
【００９０】
ここで、光学ディスクドライブ２２内にディスクが挿入されていない場合、入出力制御部４０は、図７に示すように「ディスクが挿入されていないため、選択できません。ディスクを挿入してください」とのメッセージ画像８７を表示するとともに、ＯＰＥＮスイッチ７２ｅを点滅させる。
【００９１】
このＯＰＥＮスイッチ７２ｅの点滅は、ユーザの次の操作を案内する、すなわちディスクを挿入するためにＯＰＥＮスイッチ７２ｅの操作が必要であることを通知する操作ガイドである。
【００９２】
そしてユーザがＯＰＥＮスイッチ７２ｅを操作し、ＣＤを挿入したならば、ＣＤに記録された音楽データが再生され、ディスプレイ７３には図８のように、ＣＤ内の音楽データを再生中であることを示すメッセージ画像８８および再生中の音楽データに関する情報を示すメッセージ画像８９が表示される。
【００９３】
さらに、ＣＤ再生時にＣＤ内の音楽データをＨＤＤ２３に自動録音する設定であれば、ＣＤの再生と共に、音楽データのＨＤＤ２３への録音が開始され、録音中であることを示すメッセージ画像９０が表示される。
【００９４】
ここで、表示位置設定部６２はメッセージ画像９０の表示位置をＲＥＣスイッチ７２ｇの近傍に設定し、表示動作設定部６３はメッセージ画像９０がＲＥＣスイッチ７２ｇの近傍から出現するように、たとえばディスプレイ７３の右端から左側にスライドしつつ出現するようにアニメーション表示を行なう。
【００９５】
さらに、入出力制御部４０はＲＥＣスイッチ７２ｇを点滅させる。このＲＥＣスイッチ７２ｇの点滅が、自律的に実行した動作内容を通知する動作通知である。
【００９６】
なお、ユーザによるＲＥＣスイッチ７２ｇの操作を受けて録音を実行した場合にもＲＥＣスイッチ７２ｇを点滅させ、ユーザからの操作内容に基づいて実行した動作内容を通知する動作通知を行なってもよい。
【００９７】
つづいて、表示制御部６０の処理動作について説明する。図９は表示制御部６０の処理動作を説明するフローチャートであり、入出力制御部４０からの表示出力要求を受けた場合に開始される。
【００９８】
表示出力要求を受けて処理が開始されると、まず表示内容決定部６１が表示する内容を決定する（ステップＳ１０１）。つぎに、表示内容に対応するスイッチが選択され（ステップＳ１０２）、スイッチの位置に基づいて表示位置、表示動作、表示形状が決定される（ステップＳ１０３）。
【００９９】
そして、決定した位置、動作、形状で表示出力を実行し（ステップＳ１０４）、表示内容に関連するスイッチを点灯（もしくは点滅）させることで操作ガイド、動作通知、受付確認通知を行なって（ステップＳ１０５）、処理を終了する。
【０１００】
上述してきたように、本実施例にかかる車載装置１は、物理入力手段であるスイッチ７２とディスプレイ７３との位置関係をスイッチ情報記憶部６５に記憶し、表示内容決定部６１が決定した表示内容とスイッチ情報記憶部６５が記憶した位置関係に基づいて表示位置設定部６２が画像の表示位置を、表示動作設定部６３が画像の動作を、表示形状設定部６４が画像の表示形状を、それぞれ設定することにより、操作性を向上し、直感的で分かり易い操作を実現することができる。
【０１０１】
なお、本実施例ではオーディオ機能とナビゲーション機能を有する車載用の装置を例に説明を行なったが、本発明の利用はこれに限定されるものではなく、表示手段と物理入力手段との位置関係が固定された装置において広く利用できるものである。
【産業上の利用可能性】
【０１０２】
以上のように、本発明に係る入出力制御装置、入出力制御方法およびナビゲーション装置は、入出力の制御に有用であり、特に表示手段と物理入力手段との位置関係が固定された装置における操作性向上に適している。
【図面の簡単な説明】
【０１０３】
【図１】本発明の実施例にかかる車載装置１の概要構成を示す概要構成図である。
【図２】図１に示したディスプレイユニットの具体的な構成例を示す図である。
【図３】ディスプレイユニットの構成の違いに基づく画像の変化について説明する説明図である。
【図４】スイッチに対する表示領域の割り当てについて説明する説明図である。
【図５】スイッチ操作と画像表示の具体例である。
【図６】受付確認通知について説明する説明図である。
【図７】操作ガイドについて説明する説明図である。
【図８】動作通知について説明する説明図である。
【図９】図１に示した表示制御部の処理動作について説明するフローチャートである。
【符号の説明】
【０１０４】
１    車載装置
１０    オーディオユニット
１１    ＴＶチューナ
１２    ＦＭチューナ
１３    ＡＭチューナ
１４    再生処理部
１５    録音処理部
２１    ＭＤドライブ
２２    光学ディスクドライブ
２３    ＨＤＤ
３０    ナビゲーションユニット
３１    位置情報取得部
３２    道路情報取得部
３３    経路設定部
３４    案内処理部
４０    入出力制御部
５０    音声制御部
５１    スピーカ
６０    表示制御部
６１    表示内容決定部
６２    表示位置設定部
６３    表示動作設定部
６４    表示形状設定部
６５    スイッチ情報記憶部
７０，７０ａ  ディスプレイユニット
７１    タッチパネル
７２    スイッチ
７２ａ  ＰＷＲスイッチ
７２ｂ  ＡＵＤＩＯスイッチ
７２ｃ  ＭＥＮＵスイッチ
７２ｄ  ＮＡＶＩスイッチ
７２ｅ  ＯＰＥＮスイッチ
７２ｆ  ＶＯＬスイッチ
７２ｇ  ＲＥＣスイッチ
７２ｈ  ＴＵＮＥ／ＴＲＡＣＫスイッチ
７３    ディスプレイ
８１〜９０  画像
【図１】
2007226478.tif 000003
【図２】
2007226478.tif 000004
【図３】
2007226478.tif 000005
【図４】
2007226478.tif 000006
【図５】
2007226478.tif 000007
【図６】
2007226478.tif 000008
【図７】
2007226478.tif 000009
【図８】
2007226478.tif 000010
【図９】
2007226478.tif 000011